(57)【要約】      （修正有）【課題】歌唱する場合、飛沫の拡散を抑制しつつ、減衰や歪のより少ない音声を伝達させ、歌唱しない場合、飛沫から保護することができる防護面を提供する。【解決手段】第１のアーム２４−１、２４−２は、それぞれ、耳介部からオトガイ部までの距離に相当する長さの棒状に形成され、前方に突出するようにヘッドバンド２１の端部に接続されている。第２のアーム２５−１、２５−２は、それぞれ、オトガイ部から側頭部までの距離に相当する長さの棒状に形成され、上方に突出するように第１のアーム２４−１、２４−２のそれぞれに接続されている。第１のシールド２７は、互いに重なり合う複数枚の透明の板状の樹脂の部材からなり、第２のアーム２５−１、２５−２の間の下側を囲う。第２のシールド２６は、透明の板状の樹脂の部材からなり、第１のシールド２７の上側と第２のアーム２５−１、２５−２の間の上側を囲う。【選択図】図３
0003229470.tif 000002
【実用新案登録請求の範囲】
【請求項１】
外形がＵ字状に形成され、使用者の頭部に装着された場合、前記使用者の前記頭部の頭頂部、側頭部および耳介部を挟み込むヘッドバンド部と、
耳介部からオトガイ部までの距離に相当する長さの棒状に形成され、前記ヘッドバンド部のＵ字状に開いている側の２つの端部とＵ字状の曲がりの頂点部分とで規定される面に交差する向きに突出するように、一方の端部側が前記ヘッドバンド部のＵ字状の開いている側の一方の端部側に接続されている第１の支えと、
前記第１の支えの長さと同じ長さの棒状に形成され、前記面に対して前記第１の支えが突出する向きと同様の向きに突出するように、一方の端部側が前記ヘッドバンド部のＵ字状の開いている側の他方の端部側に接続されている第２の支えと、
オトガイ部から側頭部までの距離に相当する長さの棒状に形成され、前記ヘッドバンド部の開いている側の端部側からＵ字状の曲がりの頂点部分側に向かう向きに突出するように、一方の端部側が前記第１の支えの他方の端部側に接続されている第３の支えと、
前記第３の支えの長さと同じ長さの棒状に形成され、前記第３の支えが突出する向きと同様の向きに突出するように、一方の端部側が前記第２の支えの他方の端部側に接続されている第４の支えと、
前記第３の支えおよび前記第４の支えの長手方向において互いに重なり合う複数枚の透明の板状の樹脂の部材からなり、前記ヘッドバンド部から離れる向きに突出するように湾曲させられて、前記第３の支えの一方の端部側と前記第４の支えの一方の端部側との間から前記第３の支えの長手方向の中央の付近の部分と前記第４の支えの長手方向の中央の付近の部分との間までの面を囲う第１のシールド部と、
透明の板状の樹脂の部材からなり、前記ヘッドバンド部から離れる向きに突出するように湾曲させられて、前記第３の支えの他方の端部側および前記第４の支えの他方の端部側に対して開閉自在に軸支され、閉じられている場合、前記第１のシールド部の部分のうち前記第３の支えおよび前記第４の支えの長手方向の中央の付近の部分並びに前記第３の支えの他方の端部側と前記第４の支えの他方の端部側との間から前記第３の支えの長手方向の中央部分と前記第４の支えの長手方向の中央部分との間までの面を囲う第２のシールド部と
を含む防護面。
【請求項２】
請求項１に記載の防護面において、
前記第１の支えの一方の端部側が回動自在に軸支され、
前記第２の支えの一方の端部側が回動自在に軸支され、
前記第３の支えの一方の端部側が前記第１の支えの他方の端部側に回動自在に軸支され、
前記第４の支えの一方の端部側が前記第２の支えの他方の端部側に回動自在に軸支されている
防護面。
【請求項３】
請求項１に記載の防護面において、
ヘッドバンド部の開いている側の端部のそれぞれにおいて、Ｕ字状の湾曲している部分に対して、厚さまたは幅が大きく形成されている
防護面。
【請求項４】
請求項１に記載の防護面において、
前記ヘッドバンド部のＵ字状の開いている側の一方の端部側と前記第１の支えとの間に設けられている、前記ヘッドバンド部の端部から前記面に交差する向きに突出するように延びる棒状の第５の支えと、
前記ヘッドバンド部のＵ字状の開いている側の他方の端部側と第２の支えとの間に設けられている、前記面に対して前記第５の支えが突出する向きと同じ向きに突出するように延びる、前記第５の支えの長さと同じ長さの棒状の第６の支えと
をさらに含む防護面。
【請求項５】
請求項１に記載の防護面において、
前記第１のシールド部は、３枚乃至５枚の透明の板状の樹脂の部材からなる
防護面。
【請求項６】
請求項１に記載の防護面において、
前記第１のシールド部の互いに重なり合う複数枚の透明の板状の樹脂の部材の隙間は、閉じられている前記第２のシールド部と重なる面側において、前記第２のシールド部と離れる向き側に開いている
防護面。
【請求項７】
請求項１に記載の防護面において、
前記第１の支えおよび前記第２の支えは、一方の端部側における前記第１の支えと前記第２の支えと間の距離に対して、他方の端部側における前記第１の支えと前記第２の支えと間の距離が短くなるように、設けられている
防護面。
【請求項８】
請求項１に記載の防護面において、
前記ヘッドバンド部のＵ字状の開いている端部を結ぶ直線に直交する面に対して対称に形成されている
防護面。
【請求項９】
請求項１に記載の防護面において、
前記ヘッドバンド部、前記第１の支え、前記第２の支え、前記第３の支え、前記第４の支え、前記第１のシールド部および前記第２のシールド部は、それぞれ、樹脂で形成されている
防護面。
【請求項１０】
請求項１に記載の防護面において、
前記第１のシールド部および前記第２のシールド部は、それぞれ、ポリエチレンテレフタレートで形成されている
防護面。
【考案の詳細な説明】
【技術分野】
【０００１】
本考案は防護面に関し、特に、飛沫の拡散を抑制する防護面に関する。
【背景技術】
【０００２】
ウィルスや細菌を含む飛沫から使用者の顔を保護するために防護面が使用されている。防護面は、フェイスシールドやフェイスガードなどとも称されている。
【０００３】
従来、作業者の鼻と両耳に架け渡して顔面に装着する固定具と、該固定具の外側に取り付けられて顔面を覆うシールドと、該シールドの下端部に保持されてシールドの下端と顔面との相互間に生じる隙間を覆うクリーン生地からなる受け部材と、を備え、該受け部材は、シールドの下端に配置される受け部と、シールドの下端から下方に垂れ下がる収容部と、からなることを特徴とするフェイスガードが提案されている（例えば、特許文献１参照）。
【先行技術文献】
【特許文献】
【０００４】
【特許文献１】特許第４０４０６１２号公報
【考案の概要】
【考案が解決しようとする課題】
【０００５】
しかしながら、歌唱に適した防護面はなかった。シールドを開閉するものも提案されているが、シールドを閉じた状態で歌唱すると、シールド越しで歌唱することになり、音声が遮蔽されてしまう。また、シールドを開いた状態で歌唱すると、飛沫が拡散してしまう恐れがあった。
【０００６】
本考案は、このような状況に鑑みてなされたものであり、歌唱する場合、飛沫の拡散を抑制しつつ、減衰や歪のより少ない音声を伝達させ、歌唱しない場合、飛沫から保護することができるようにするものである。
【課題を解決するための手段】
【０００７】
本考案の一側面の防護面は、外形がＵ字状に形成され、使用者の頭部に装着された場合、使用者の頭部の頭頂部、側頭部および耳介部を挟み込むヘッドバンド部と、耳介部からオトガイ部までの距離に相当する長さの棒状に形成され、ヘッドバンド部のＵ字状に開いている側の２つの端部とＵ字状の曲がりの頂点部分とで規定される面に交差する向きに突出するように、一方の端部側がヘッドバンド部のＵ字状の開いている側の一方の端部側に接続されている第１の支えと、第１の支えの長さと同じ長さの棒状に形成され、面に対して第１の支えが突出する向きと同様の向きに突出するように、一方の端部側がヘッドバンド部のＵ字状の開いている側の他方の端部側に接続されている第２の支えと、オトガイ部から側頭部までの距離に相当する長さの棒状に形成され、ヘッドバンド部の開いている側の端部側からＵ字状の曲がりの頂点部分側に向かう向きに突出するように、一方の端部側が第１の支えの他方の端部側に接続されている第３の支えと、第３の支えの長さと同じ長さの棒状に形成され、第３の支えが突出する向きと同様の向きに突出するように、一方の端部側が第２の支えの他方の端部側に接続されている第４の支えと、第３の支えおよび第４の支えの長手方向において互いに重なり合う複数枚の透明の板状の樹脂の部材からなり、ヘッドバンド部から離れる向きに突出するように湾曲させられて、第３の支えの一方の端部側と第４の支えの一方の端部側との間から第３の支えの長手方向の中央の付近の部分と第４の支えの長手方向の中央の付近の部分との間までの面を囲う第１のシールド部と、透明の板状の樹脂の部材からなり、ヘッドバンド部から離れる向きに突出するように湾曲させられて、第３の支えの他方の端部側および第４の支えの他方の端部側に対して開閉自在に軸支され、閉じられている場合、第１のシールド部の部分のうち第３の支えおよび第４の支えの長手方向の中央の付近の部分並びに第３の支えの他方の端部側と第４の支えの他方の端部側との間から第３の支えの長手方向の中央部分と第４の支えの長手方向の中央部分との間までの面を囲う第２のシールド部とを含む。
【０００８】
本考案の一側面においては、第１のシールド部が、互いに重なり合う複数枚の透明の板状の樹脂の部材からなり、第３の支えの一方の端部側と第４の支えの一方の端部側との間から第３の支えの長手方向の中央の付近の部分と第４の支えの長手方向の中央の付近の部分との間までの面を囲うので、第２のシールド部が開かれている場合、第１のシールド部が、歌唱する使用者の口を囲うことになり、飛沫の拡散を抑制できる。また、第１のシールド部が、互いに重なり合う複数枚の透明の板状の樹脂の部材からなるので、発声した音声による第１のシールド部の振動が抑制されるので、歪のより少ない音声を伝達させることができる。さらに、第２のシールド部が開かれると、第１のシールド部および第２のシールド部によって、歌唱する使用者の口から使用者の前側に、断面が半円状の折れ曲がった連通する空間が形成されるので、歌唱する使用者の音声の指向性を高めることができ、減衰のより少ない音声を伝達させることができる。歌唱しない場合、第２のシールド部が閉じられると、第２のシールド部が、第１のシールド部の部分のうち第３の支えおよび第４の支えの長手方向の中央の付近の部分を囲うので、第１のシールド部と第２のシールド部とが概ね一体となって使用者の前側を覆い、飛沫から保護することができるようになる。このように、歌唱する場合、飛沫の拡散を抑制しつつ、減衰や歪のより少ない音声を伝達させ、歌唱しない場合、飛沫から保護することができる。
【０００９】
第１の支えの一方の端部側を回動自在に軸支し、第２の支えの一方の端部側を回動自在に軸支し、第３の支えの一方の端部側を第１の支えの他方の端部側に回動自在に軸支し、第４の支えの一方の端部側を第２の支えの他方の端部側に回動自在に軸支することができる。このようにすることで、第１のシールド部および第２のシールド部の配置を使用者の顔の位置に合わせることができる。
【００１０】
ヘッドバンド部の開いている側の端部のそれぞれにおいて、Ｕ字状の湾曲している部分に対して、厚さまたは幅を大きく形成することができる。このようにすることで、防護面を使用者の頭に安定して装着することができる。
【００１１】
ヘッドバンド部のＵ字状の開いている側の一方の端部側と第１の支えとの間に設けられている、ヘッドバンド部の端部から面に交差する向きに突出するように延びる棒状の第５の支えと、ヘッドバンド部のＵ字状の開いている側の他方の端部側と第２の支えとの間に設けられている、面に対して第５の支えが突出する向きと同じ向きに突出するように延びる、第５の支えの長さと同じ長さの棒状の第６の支えとをさらに設けることができる。このようにすることで、使用者の顔に対して第１のシールド部および第２のシールド部をより適切に配置することができる。
【００１２】
第１のシールド部を、３枚乃至５枚の透明の板状の樹脂の部材からなるようにすることができる。このようにすることで、より幅広い音域で、発声した音声による第１のシールド部の振動が抑制されるので、歪のより少ない音声を伝達させることができる。
【００１３】
第１のシールド部の互いに重なり合う複数枚の透明の板状の樹脂の部材の隙間を、閉じられている第２のシールド部と重なる面側において、第２のシールド部と離れる向き側に開かせることができる。このようにすることで、第２のシールド部が閉じられている場合、第１のシールド部の重なりから飛沫が使用者の口元に入ってしまうことが防止できるので、外部の飛沫から保護することができ、また、第２のシールド部が開かれて、使用者が歌唱する場合、使用者の口から出た飛沫が、第１のシールド部の重なりから下向きに排出されることになり、使用者からの飛沫の拡散を抑制することができる。
【００１４】
第１の支えおよび第２の支えを、一方の端部側における第１の支えと第２の支えと間の距離に対して、他方の端部側における第１の支えと第２の支えと間の距離が短くなるように、設けることができる。このようにすることで、第１のシールド部によって囲われる使用者の口元の空間がより小さくなり、外部の飛沫から保護することができ、また、使用者からの飛沫の拡散を抑制することができる。
【００１５】
防護面は、ヘッドバンド部のＵ字状の開いている端部を結ぶ直線に直交する面に対して対称に形成することができる。このようにすることで、使用者の顔に対して第１のシールド部および第２のシールド部をより適切に配置することができる。
【００１６】
ヘッドバンド部、第１の支え、第２の支え、第３の支え、第４の支え、第１のシールド部および第２のシールド部を、それぞれ、樹脂で形成することができる。このようにすることで、防護面をより軽量に形成することができる。
【００１７】
第１のシールド部および第２のシールド部を、それぞれ、ポリエチレンテレフタレートで形成することができる。このようにすることで、より容易に、より軽量に防護面を形成することができる。
【考案の効果】
【００１８】
以上のように、本考案の一側面によれば、歌唱する場合、飛沫の拡散を抑制しつつ、減衰や歪のより少ない音声を伝達させ、歌唱しない場合、飛沫から保護することができる。
【図面の簡単な説明】
【００１９】
【図１】防護面１１の使用状態を示す図である。
【図２】防護面１１の使用状態を示す図である。
【図３】防護面１１の構成を示す斜視図である。
【図４】防護面１１の構成を示す正面図である。
【図５】防護面１１の構成を示す右側面図である。
【図６】ヘッドバンド２１、補強部２２−１、アーム２３−１、アーム２４−１およびアーム２５−１のそれぞれの部品図である。
【図７】シールド２６、透明樹脂板３１、透明樹脂板３２および透明樹脂板３３のそれぞれの部品図である。
【考案を実施するための形態】
【００２０】
以下に本考案の実施の形態を説明するが、本考案の構成要件と、考案の詳細な説明に記載の実施の形態との対応関係を例示すると、次のようになる。この記載は、本考案をサポートする実施の形態が、考案の詳細な説明に記載されていることを確認するためのものである。従って、考案の詳細な説明中には記載されているが、本考案の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本考案の一側面の防護面（例えば、図３の防護面１１）は、外形がＵ字状に形成され、使用者の頭部に装着された場合、使用者の頭部の頭頂部、側頭部および耳介部を挟み込むヘッドバンド部（例えば、図３のヘッドバンド２１）と、耳介部からオトガイ部までの距離に相当する長さの棒状に形成され、ヘッドバンド部のＵ字状に開いている側の２つの端部とＵ字状の曲がりの頂点部分とで規定される面に交差する向きに突出するように、一方の端部側がヘッドバンド部のＵ字状の開いている側の一方の端部側に接続されている第１の支え（例えば、図３のアーム２４−１）と、第１の支えの長さと同じ長さの棒状に形成され、面に対して第１の支えが突出する向きと同様の向きに突出するように、一方の端部側がヘッドバンド部のＵ字状の開いている側の他方の端部側に接続されている第２の支え（例えば、図３のアーム２４−２）と、オトガイ部から側頭部までの距離に相当する長さの棒状に形成され、ヘッドバンド部の開いている側の端部側からＵ字状の曲がりの頂点部分側に向かう向きに突出するように、一方の端部側が第１の支えの他方の端部側に接続されている第３の支え（例えば、図３のアーム２５−１）と、第３の支えの長さと同じ長さの棒状に形成され、第３の支えが突出する向きと同様の向きに突出するように、一方の端部側が第２の支えの他方の端部側に接続されている第４の支え（例えば、図３のアーム２５−２）と、第３の支えおよび第４の支えの長手方向において互いに重なり合う複数枚の透明の板状の樹脂の部材からなり、ヘッドバンド部から離れる向きに突出するように湾曲させられて、第３の支えの一方の端部側と第４の支えの一方の端部側との間から第３の支えの長手方向の中央の付近の部分と第４の支えの長手方向の中央の付近の部分との間までの面を囲う第１のシールド部（例えば、図３のシールド２７）と、透明の板状の樹脂の部材からなり、ヘッドバンド部から離れる向きに突出するように湾曲させられて、第３の支えの他方の端部側および第４の支えの他方の端部側に対して開閉自在に軸支され、閉じられている場合、第１のシールド部の部分のうち第３の支えおよび第４の支えの長手方向の中央の付近の部分並びに第３の支えの他方の端部側と第４の支えの他方の端部側との間から第３の支えの長手方向の中央部分と第４の支えの長手方向の中央部分との間までの面を囲う第２のシールド部（例えば、図３のシールド２６）とを含む。
【００２２】
ヘッドバンド部のＵ字状の開いている側の一方の端部側と第１の支えとの間に設けられている、ヘッドバンド部の端部から面に交差する向きに突出するように延びる棒状の第５の支え（例えば、図３のアーム２３−１）と、ヘッドバンド部のＵ字状の開いている側の他方の端部側と第２の支えとの間に設けられている、面に対して第５の支えが突出する向きと同じ向きに突出するように延びる、第５の支えの長さと同じ長さの棒状の第６の支え（例えば、図３のアーム２３−２）とをさらに設けることができる。
【００２３】
以下、図１乃至図７を参照して、本考案の一実施の形態の防護面１１を説明する。
【００２４】
図１および図２は、防護面１１の使用状態を示す図である。図１は、後述するシールド２６を閉じた状態の防護面１１を示す。図２は、後述するシールド２６を開いた状態の防護面１１を示す。
【００２５】
防護面１１は、使用者１の頭に装着されて、ウィルスや細菌などを含む飛沫や粉末などから使用者１の顔を保護する。また、防護面１１は、歌唱する使用者１の頭に装着されて、歌唱する使用者１の口から飛散する飛沫の拡散を抑制する。防護面１１は、防護面１１を装着している使用者１が歌唱しない場合、図１に示されるように、シールド２６が閉じられた状態（下した状態）で用いられる。防護面１１は、防護面１１を装着している使用者１が歌唱する場合、図２に示されるように、シールド２６が開かれた状態（上げた状態）で用いられる。
【００２６】
図３、図４および図５は、それぞれ、防護面１１の構成を示す斜視図、正面図および右側面図である。図３、図４および図５において、３次元空間（直交座標空間）を表すＸ軸、Ｙ軸、およびＺ軸からなる座標軸で示される方向のうち、図３中の左上と右下とを結ぶ方向はＸ軸方向を示し、図３中の左下と右上とを結ぶ方向はＹ軸方向を示し、図３中の上下方向はＺ軸方向を示す。なお、右下方向がＸ軸の正の方向であり、右上方向がＹ軸の正の方向であり、上方向がＺ軸の正の方向である。なお、以下、Ｚ軸の正の方向を上側、Ｚ軸の負の方向を下側、Ｙ軸の正の方向を奥側、Ｙ軸の負の方向を手前側、Ｘ軸の正の方向を右側、Ｘ軸の負の方向を左側とも称する。また、Ｘ軸の方向を単に左右方向とも称し、Ｙ軸の方向を単に前後方向とも称し、Ｚ軸の方向を単に上下方向とも称する。
【００２７】
防護面１１は、ヘッドバンド２１、補強部２２−１および２２−２、アーム２３−１および２３−２、アーム２４−１および２４−２、アーム２５−１および２５−２、シールド２６並びにシールド２７を含み構成される。
【００２８】
図６は、ヘッドバンド２１、補強部２２−１、アーム２３−１、アーム２４−１およびアーム２５−１のそれぞれの部品図である。図６（Ａ）は、ヘッドバンド２１の正面図である。図６（Ｂ）は、ヘッドバンド２１の右側面図である。図６（Ｃ）は、アーム２３−１の右側面図である。図６（Ｄ）は、アーム２３−１の上面図である。図６（Ｅ）は、アーム２４−１の右側面図である。図６（Ｆ）は、アーム２４−１の上面図である。図６（Ｇ）は、アーム２５−１の右側面図である。図６（Ｈ）は、アーム２５−１の正面図である。
【００２９】
防護面１１は、左右対称に形成されている。ヘッドバンド２１は、左右対称に形成されている。また、補強部２２−２、アーム２３−２、アーム２４−２およびアーム２５−２のそれぞれは、Ｙ軸およびＺ軸で規定される面に対して、補強部２２−１、アーム２３−１、アーム２４−１およびアーム２５−１と対称に形成されている。補強部２２−２、アーム２３−２、アーム２４−２およびアーム２５−２の詳細の図示は省略する。すなわち、防護面１１は、ヘッドバンド２１のＵ字状の開いている端部を結ぶ直線に直交する面に対して対称に形成されている。
【００３０】
ヘッドバンド２１、補強部２２−１および２２−２、アーム２３−１および２３−２、アーム２４−１および２４−２並びにアーム２５−１および２５−２は、ABS（Acrylonitrile Butadiene Styrene）樹脂、アクリル（ポリメタクリル酸メチル樹脂）、ポリエチレン、ポリエチレンテレフタレート、若しくはポリカーボネートなどの樹脂、ガラス繊維若しくは炭素繊維などの繊維および樹脂などからなる複合材料、アルミニウム合金やマグネシウム合金、鋼などの金属、木材、竹材若しくは厚紙や段ボール紙などの紙またはこれらの組合せなど、比較的軽量で強度および剛性を有する素材により形成されている。シールド２６およびシールド２７は、アクリル（ポリメタクリル酸メチル樹脂）、ポリエチレン、ポリエチレンテレフタレート、若しくはポリカーボネートなどの光透過性の樹脂で形成されている。シールド２６およびシールド２７は、透明に形成されている。ここで、シールド２６およびシールド２７が透明であるとは、防護面１１を装着している使用者がシールド２６およびシールド２７を通して、視覚によって外部の対象物を認識できればよく、着色されていても、反射や散乱が起きるものも含む。
【００３１】
ヘッドバンド２１は、ヘッドバンド部の一例である。ヘッドバンド２１の外形は、Ｕ字状に形成されている。ヘッドバンド２１は、使用者１の頭部に装着された場合、使用者１の頭部の頭頂部、側頭部および耳介部を挟み込む。これにより、防護面１１は、使用者１の頭部に止められる。ヘッドバンド２１の前後方向の幅は、使用者１の頭部に装着された場合、より安定させるために、アーム２３−１および２３−２、アーム２４−１および２４−２並びにアーム２５−１および２５−２の幅に比較して幅広とされる。
【００３２】
ヘッドバンド２１のＵ字状に開いている側の２つの端部のうち、右側の端部には、補強部２２−１が設けられている。補強部２２−１の前後方向の幅は、ヘッドバンド２１のＵ字状の湾曲している部分の前後方向の幅に対して、幅広に形成されている。補強部２２−１の左右方向の厚さは、ヘッドバンド２１のＵ字状の湾曲している部分の厚さに対して、厚く形成されている。すなわち、補強部２２−１は、ヘッドバンド２１のＵ字状の湾曲している部分に対して、厚さまたは幅を大きく形成されている。補強部２２−１の右側面の上下および左右方向の中央部分には、ネジ切り加工されている穴１２１−１が形成されている。
【００３３】
ヘッドバンド２１のＵ字状に開いている側の２つの端部のうち、左側の端部には、補強部２２−２が設けられている。補強部２２−２の前後方向の幅は、ヘッドバンド２１のＵ字状の湾曲している部分の前後方向の幅に対して、幅広に形成されている。補強部２２−２の左右方向の厚さは、ヘッドバンド２１のＵ字状の湾曲している部分の厚さに対して、厚く形成されている。すなわち、補強部２２−２は、ヘッドバンド２１のＵ字状の湾曲している部分に対して、厚さまたは幅を大きく形成されている。補強部２２−２の左側面の上下および左右方向の中央部分には、ネジ切り加工されている穴１２１−２（図示せず）が形成されている。
【００３４】
なお、ヘッドバンド２１並びに補強部２２−１および２２−２は、個々に形成するようにしても、一体に形成するようにしてもよい。
【００３５】
アーム２３−１および２３−２、アーム２４−１および２４−２並びにアーム２５−１および２５−２は、それぞれ、棒状に形成されている。例えば、アーム２３−１および２３−２、アーム２４−１および２４−２並びにアーム２５−１および２５−２のそれぞれの長手方向に直交する断面は、四角状とされている。より詳細には、アーム２３−１および２３−２、アーム２４−１および２４−２並びにアーム２５−１および２５−２のそれぞれの長手方向に直交する断面において、一方の対向する辺の長さは、他方の対向する辺の長さに対して十分に長い。すなわち、例えば、アーム２３−１および２３−２、アーム２４−１および２４−２並びにアーム２５−１および２５−２のそれぞれは、長手方向に長い平板状である棒状に形成されている。
【００３６】
アーム２３−１および２３−２のそれぞれは、第５の支えおよび第６の支えのそれぞれの一例である。アーム２３−１の長さは、アーム２３−２の長さと同じである。
【００３７】
アーム２３−１の一方の端部（図３中の右側の端部、すなわち奥側の端部）には、キリ孔（いわゆるバカ孔）である孔１２２−１−１が設けられている。また、アーム２３−１の他方の端部（図３中の左側の端部、すなわち手前側の端部）には、ネジ切り加工されている孔１２２−１−２が設けられている。アーム２３−１の一方の端部は、雄ネジであるねじ４１−１により、補強部２２−１の右側の面に止められている。例えば、アーム２３−１は、ねじ４１−１により、補強部２２−１の右側の面に回動しないように止められている。例えば、アーム２３−１は、長手方向に長い平板状である棒状に形成され、幅広の面が補強部２２−１の右側の面に接するように、補強部２２−１の右側の面に止められている。この場合、ねじ４１−１が、アーム２３−１の孔１２２−１−１に通されて、さらに、補強部２２−１の穴１２１−１に螺合されて固定される。
【００３８】
アーム２３−２の一方の端部（図３中の右側の端部、すなわち奥側の端部）には、キリ孔（いわゆるバカ孔）である孔１２２−２−１（図示せず）が設けられている。また、アーム２３−２の他方の端部（図３中の左側の端部、すなわち手前側の端部）には、ネジ切り加工されている孔１２２−２−２（図示せず）が設けられている。アーム２３−２の一方の端部は、雄ネジであるねじ４１−２により、補強部２２−２の左側の面に止められている。例えば、アーム２３−２は、ねじ４１−２により、補強部２２−２の左側の面に回動しないように止められている。例えば、アーム２３−２は、長手方向に長い平板状である棒状に形成され、幅広の面が補強部２２−２の左側の面に接するように、補強部２２−２の左側の面に止められている。この場合、ねじ４１−２が、アーム２３−２の孔１２２−２−１（図示せず）に通されて、さらに、補強部２２−２の穴１２１−２（図示せず）に螺合されて固定される。
【００３９】
アーム２４−１および２４−２のそれぞれは、第１の支えおよび第２の支えのそれぞれの一例である。アーム２４−１および２４−２のそれぞれは、人の耳介部からオトガイ部までの距離に相当する長さの棒状に形成されている。
【００４０】
また、例えば、アーム２４−１および２４−２のそれぞれは、長手方向の面のうち、幅狭の面が所定の角度でくの字状になるように、曲げられている。より詳細には、アーム２４−１の一方の端部がアーム２３−１の他方の端部に接続された場合、アーム２４−１の他方の端部が、アーム２４−１の一方の端部の左右方向の位置に対して、防護面１１の左右方向の中央により近くなるように、アーム２４−１は、所定の角度でくの字状になるように、曲げられている。同様に、アーム２４−２の一方の端部がアーム２３−２の他方の端部に接続された場合、アーム２４−２の他方の端部が、アーム２４−２の一方の端部の左右方向の位置に対して、防護面１１の左右方向の中央により近くなるように、アーム２４−２は、所定の角度でくの字状になるように、曲げられている。すなわち、アーム２４−２は、図６（Ｅ）に示される、アーム２４−１の曲がりに対して、逆向きに曲げられている。アーム２４−１の長さは、アーム２４−２の長さと同じである。
【００４１】
アーム２４−１の一方の端部（図３中の右側の端部、すなわち奥側の端部）には、キリ孔（いわゆるバカ孔）である孔１２３−１−１が設けられている。また、アーム２４−１の他方の端部（図３中の左側の端部、すなわち手前側の端部）には、ネジ切り加工されている孔１２３−１−２が設けられている。アーム２４−１の一方の端部は、雄ネジであるねじ５１−１により、アーム２３−１の他方の端部に止められている。例えば、ねじ５１−１は、軸の頭側がネジ切り加工されていない半ネジとすることができる。アーム２４−１は、ねじ５１−１により、アーム２３−１の他方の端部に回動可能に軸支されている。例えば、アーム２４−１は、長手方向に長い平板状である棒状に形成され、幅広の面がアーム２３−１の右側の面に接するように、アーム２３−１の右側の面に止められている。この場合、ねじ５１−１が、アーム２４−１の孔１２３−１−１に通されて、さらに、アーム２３−１の孔１２２−１−２に螺合されて固定される。
【００４２】
アーム２４−１は、前側に突出するようにアーム２３−１を介して補強部２２−１に接続されている。すなわち、アーム２４−１は、Ｘ軸およびＺ軸で規定される面、すなわち、ヘッドバンド２１のＵ字状に開いている側の２つの端部とＵ字状の曲がりの頂点部分とで規定される面に交差する向きに突出するように、一方の端部側がヘッドバンド２１のＵ字状の開いている側の一方の端部側に接続されている。
【００４３】
アーム２４−２の一方の端部（図３中の右側の端部、すなわち奥側の端部）には、キリ孔（いわゆるバカ孔）である孔１２３−２−１（図示せず）が設けられている。また、アーム２４−２の他方の端部（図３中の左側の端部、すなわち手前側の端部）には、ネジ切り加工されている孔１２３−２−２（図示せず）が設けられている。アーム２４−２の一方の端部は、雄ネジであるねじ５１−２により、アーム２３−２の他方の端部に止められている。例えば、ねじ５１−２は、軸の頭側がネジ切り加工されていない半ネジとすることができる。アーム２４−２は、ねじ５１−２により、アーム２３−２の他方の端部に回動可能に軸支されている。例えば、アーム２４−２は、長手方向に長い平板状である棒状に形成され、幅広の面がアーム２３−２の左側の面に接するように、アーム２３−２の左側の面に止められている。この場合、ねじ５１−２が、アーム２４−２の孔１２３−２−１（図示せず）に通されて、さらに、アーム２３−２の孔１２２−２−２に螺合されて固定される。
【００４４】
アーム２４−２は、前側に突出するようにアーム２３−２を介して補強部２２−２に接続されている。すなわち、アーム２４−２は、Ｘ軸およびＺ軸で規定される面、すなわち、ヘッドバンド２１のＵ字状に開いている側の２つの端部とＵ字状の曲がりの頂点部分とで規定される面に交差する向きに突出するように、一方の端部側がヘッドバンド２１のＵ字状の開いている側の一方の端部側に接続されている。Ｘ軸およびＺ軸で規定される面に対してアーム２４−２が突出する向きは、Ｘ軸およびＺ軸で規定される面に対してアーム２４−１が突出する向きと同じである。
【００４５】
アーム２４−１は、所定の角度でくの字状になるように、左側向きに曲げられているので、アーム２４−１の一方の端部がアーム２３−１の他方の端部に接続された場合、アーム２４−１の他方の端部の位置は、アーム２４−１の一方の端部の左右方向の位置に対して、防護面１１の左右方向の中央により近くなる。同様に、アーム２４−２は、アーム２４−１とは逆向き（右側向きに）に、所定の角度でくの字状になるように、曲げられているので、アーム２４−２の一方の端部がアーム２３−２の他方の端部に接続された場合、アーム２４−２の他方の端部の位置は、アーム２４−１の一方の端部の左右方向の位置に対して、防護面１１の左右方向の中央により近くなる。すなわち、アーム２４−１の他方の端部とアーム２４−２の他方の端部との間の左右方向の幅は、アーム２４−１の一方の端部とアーム２４−２の一方の端部との間の左右方向の幅に比較して、狭くなる。アーム２４−１の他方の端部およびアーム２４−２の他方の端部は、左右方向の中央に向かって傾いているとも言える。
【００４６】
このように、アーム２４−１およびアーム２４−２は、一方の端部側におけるアーム２４−１とアーム２４−２と間の距離に対して、他方の端部側におけるアーム２４−１とアーム２４−２と間の距離が短くなるように、設けられる。このようにすることで、シールド２７によって囲われる使用者１の口元の空間がより小さくなり、外部の飛沫から効果的に保護することができ、また、使用者１からの飛沫の拡散を抑制することができる。
【００４７】
アーム２５−１および２５−２のそれぞれは、第３の支えおよび第４の支えのそれぞれの一例である。アーム２５−１および２５−２のそれぞれは、人のオトガイ部から側頭部までの距離に相当する長さの棒状に形成されている。アーム２５−１の長さは、アーム２５−２の長さと同じである。
【００４８】
アーム２５−１の一方の端部（図３中の下側の端部）には、キリ孔（いわゆるバカ孔）である孔１２４−１−１が設けられている。また、アーム２５−１の他方の端部（図３中の上側の端部）には、ネジ切り加工されている孔１２４−１−２が設けられている。さらに、アーム２５−１には、アーム２５−１の一方の端部側からアーム２５−１の長手方向の中央部分にかけて、孔１２５−１−１、孔１２５−１−２および孔１２５−１−３が設けられている。孔１２５−１−１、孔１２５−１−２および孔１２５−１−３は、それぞれ、ネジ孔である。例えば、孔１２４−１−１と孔１２５−１−３との距離、孔１２５−１−３と孔１２５−１−２との距離、孔１２５−１−２と孔１２５−１−１との距離は、ほぼ同じとされている。
【００４９】
アーム２５−１の一方の端部は、雄ネジであるねじ５２−１により、アーム２４−１の他方の端部に止められている。例えば、ねじ５２−１は、軸の頭側がネジ切り加工されていない半ネジとすることができる。アーム２５−１は、ねじ５２−１により、アーム２４−１の他方の端部に回動可能に軸支されている。例えば、アーム２５−１は、長手方向に長い平板状である棒状に形成され、幅広の面がアーム２４−１の右側の面に接するように、アーム２４−１の右側の面に止められている。この場合、ねじ５２−１が、アーム２５−１の孔１２４−１−１に通されて、さらに、アーム２４−１の孔１２３−１−２に螺合されて固定される。
【００５０】
アーム２５−１は、ヘッドバンド２１の開いている側の端部側からＵ字状の曲がりの頂点部分側に向かう向きに突出するように、一方の端部側がアーム２４−１の他方の端部側に接続されている。
【００５１】
アーム２５−２の一方の端部（図３中の下側の端部）には、キリ孔（いわゆるバカ孔）である孔１２４−２−１（図示せず）が設けられている。また、アーム２５−２の他方の端部（図３中の上側の端部）には、ネジ切り加工されている孔１２４−２−２（図示せず）が設けられている。さらに、アーム２５−２には、アーム２５−２の一方の端部側からアーム２５−２の長手方向の中央部分にかけて、孔１２５−２−１（図示せず）、孔１２５−２−２（図示せず）および孔１２５−２−３（図示せず）が設けられている。孔１２５−２−１、孔１２５−２−２および孔１２５−２−３は、それぞれ、ネジ孔である。例えば、孔１２４−２−１と孔１２５−２−３との距離、孔１２５−２−３と孔１２５−２−２との距離、孔１２５−２−２と孔１２５−２−１との距離は、ほぼ同じとされている。
【００５２】
アーム２５−２の一方の端部は、雄ネジであるねじ５２−２により、アーム２４−２の他方の端部に止められている。例えば、ねじ５２−２は、軸の頭側がネジ切り加工されていない半ネジとすることができる。アーム２５−２は、ねじ５２−２により、アーム２４−２の他方の端部に回動可能に軸支されている。例えば、アーム２５−２は、長手方向に長い平板状である棒状に形成され、幅広の面がアーム２４−２の左側の面に接するように、アーム２４−２の左側の面に止められている。この場合、ねじ５２−２が、アーム２５−２の孔１２４−２−１に通されて、さらに、アーム２４−２の孔１２３−２−２に螺合されて固定される。
【００５３】
アーム２５−２は、ヘッドバンド２１の開いている側の端部側からＵ字状の曲がりの頂点部分側に向かう向きに突出するように、一方の端部側がアーム２４−２の他方の端部側に接続されている。言い換えれば、アーム２５−２は、Ｘ軸およびＺ軸で規定される面、すなわち、ヘッドバンド２１のＵ字状に開いている側の２つの端部とＵ字状の曲がりの頂点部分とで規定される面に対してアーム２５−１が突出する向きと同様の向きに突出するように、一方の端部側がアーム２４−２の他方の端部側に接続されている。
【００５４】
アーム２４−１の他方の端部が、前方から見て時計回りに捻られているので、アーム２５−１の一方の端部がアーム２４−１の他方の端部に接続された場合、アーム２５−１の他方の端部の位置は、アーム２５−１の一方の端部の左右方向の位置に対して、防護面１１の左右方向の中央から離れる。すなわち、アーム２４−１は、一方の端部から他方の端部に向かって、左右に広がるように配置される。このようにすることで、使用者１が防護面１１を装着した場合、アーム２４−１は、使用者１のオトガイ部、頬部、頬骨部および側頭部に沿って配置されることになる。
【００５５】
同様に、アーム２４−２の他方の端部が、前方から見て反時計回りに捻られているので、アーム２５−２の一方の端部がアーム２４−２の他方の端部に接続された場合、アーム２５−２の他方の端部の位置は、アーム２５−２の一方の端部の左右方向の位置に対して、防護面１１の左右方向の中央から離れる。すなわち、アーム２４−２は、一方の端部から他方の端部に向かって、左右に広がるように配置される。このようにすることで、使用者１が防護面１１を装着した場合、アーム２４−２は、使用者１のオトガイ部、頬部、頬骨部および側頭部に沿って配置されることになる。
【００５６】
従って、アーム２４−１およびアーム２４−２が、使用者１の眼の近辺においては左右に広がっているので、使用者１の視界を妨げることがなく、シールド２６およびシールド２７が、使用者１の顔の前面を全体的に囲うことができる。
【００５７】
シールド２６は、第２のシールド部の一例であり、透明の板状の樹脂の部材からなり、アーム２５−１とアーム２５−１との間の面のうち、上側の面の前方を囲う。シールド２７は、互いに重なり合う複数枚の透明の板状の樹脂の部材からなり、アーム２５−１とアーム２５−１との間の面のうち、下側の面の前方を囲う。シールド２７は、第１のシールド部の一例であり、透明の板状の樹脂の部材である、透明樹脂板３１、透明樹脂板３２および透明樹脂板３３からなる。
【００５８】
図７は、シールド２６、透明樹脂板３１、透明樹脂板３２および透明樹脂板３３のそれぞれの部品図である。図７（Ａ）は、平らに広げられたシールド２６の正面図である。図７（Ｂ）は、平らに広げられた透明樹脂板３１の正面図である。図７（Ｃ）は、平らに広げられた透明樹脂板３２の正面図である。図７（Ｄ）は、平らに広げられた透明樹脂板３３の正面図である。
【００５９】
シールド２６は、透明の板状の樹脂の部材からなる。シールド２６の外形は、概ね四角状とされている。例えば、シールド２６の四隅には、丸め加工が施されている。シールド２６の右上の端部側には、丸孔である孔１４１−１が設けられている。シールド２６の左上の端部側には、丸孔である孔１４１−２が設けられている。孔１４１−１および孔１４１−２は、シールド２６に対して左右対称の位置に設けられている。シールド２６は、ねじ５３−１により、アーム２５−１の他方の端部に回動可能に軸支されている。また、シールド２６は、ねじ５３−２により、アーム２５−２の他方の端部に回動可能に軸支されている。この場合、ねじ５３−１が、シールド２６の孔１４１−１に通されて、さらに、アーム２５−１の孔１２４−１−２に螺合されて固定される。また、ねじ５３−２が、シールド２６の孔１４１−２に通されて、さらに、アーム２５−２の孔１２４−２−２に螺合されて固定される。シールド２６は、９０度以上の角度範囲で回動可能にするのが好ましい。
【００６０】
シールド２６が、アーム２５−１およびアーム２５−２に軸支されると、シールド２６の左右方向の中央部分は、前側に突き出すように湾曲させられる。すなわち、シールド２６は、ヘッドバンド２１から離れる向きに突出するように湾曲させられる。シールド２６が閉じられている場合、すなわち、シールド２６の平面がＺ軸の方向に沿う位置にある場合、シールド２６は、シールド２７の部分のうちアーム２５−１およびアーム２５−２の長手方向の中央の付近の部分並びにアーム２５−１の他方の端部側とアーム２５−２の他方の端部側との間からアーム２５−１の長手方向の中央部分とアーム２５−２の長手方向の中央部分との間までの面を囲う。
【００６１】
シールド２７の透明樹脂板３１、透明樹脂板３２および透明樹脂板３３は、それぞれ、四角状に形成されている。より詳細には、例えば、透明樹脂板３１、透明樹脂板３２および透明樹脂板３３は、それぞれ、左右対称の台形状であって、上辺に対して下辺の短い台形状とされている。透明樹脂板３１の右の端部側の中央部分には、丸孔である孔１４２−１が設けられている。透明樹脂板３１の左の端部側の中央部分には、丸孔である孔１４２−２が設けられている。孔１４２−１および孔１４２−２は、透明樹脂板３１に対して左右対称の位置に設けられている。
【００６２】
透明樹脂板３２の右の端部側の中央部分には、丸孔である孔１４３−１が設けられている。透明樹脂板３２の左の端部側の中央部分には、丸孔である孔１４３−２が設けられている。孔１４３−１および孔１４３−３は、透明樹脂板３２に対して左右対称の位置に設けられている。透明樹脂板３３の右の端部側の中央部分には、丸孔である孔１４４−１が設けられている。透明樹脂板３３の左の端部側の中央部分には、丸孔である孔１４４−２が設けられている。孔１４４−１および孔１４４−３は、透明樹脂板３３に対して左右対称の位置に設けられている。
【００６３】
なお、シールド２７は、３枚乃至５枚の透明樹脂板とすることが好ましい。透明樹脂板を２枚とすると、透明樹脂板に音声による振動が発生した。また、透明樹脂板を６枚以上とすると、１枚の厚い透明樹脂板と同様な状態になってしまい、音声がやや「くぐもった」（いわゆる抜けの悪い（本来の音声にノイズが加わった））ものとなってしまった。
【００６４】
シールド２７は、アーム２５−１およびアーム２５−２に回動しないように止められている。
【００６５】
透明樹脂板３３の右の端部側はアーム２５−１の右側の面に止められ、透明樹脂板３３の左の端部側はアーム２５−２の左側の面に止められる。この場合、ねじ４４−１が、透明樹脂板３３の孔１４４−１に通されて、さらに、アーム２５−１の孔１２５−１−３に螺合されて固定される。また、ねじ４４−２が、透明樹脂板３３の孔１４４−２に通されて、さらに、アーム２５−２の孔１２５−２−３（図示せず）に螺合されて固定される。透明樹脂板３３が、アーム２５−１およびアーム２５−２に固定されると、透明樹脂板３３の左右方向の中央部分は、前側に突き出すように湾曲させられる。すなわち、透明樹脂板３３は、ヘッドバンド２１から離れる向きに突出するように湾曲させられる。
【００６６】
透明樹脂板３２は、一部が透明樹脂板３３に重なるようにアーム２５−１およびアーム２５−２に止められる。すなわち、透明樹脂板３２の下側は、透明樹脂板３３の上側の前側を囲う。
【００６７】
透明樹脂板３２の右の端部側がアーム２５−１の右側の面に止められ、透明樹脂板３２の左の端部側がアーム２５−２の左側の面に止められる。この場合、ねじ４３−１が、透明樹脂板３２の孔１４３−１に通されて、さらに、アーム２５−１の孔１２５−１−２に螺合されて固定される。また、ねじ４３−２が、透明樹脂板３２の孔１４３−２に通されて、さらに、アーム２５−２の孔１２５−２−２（図示せず）に螺合されて固定される。透明樹脂板３２が、アーム２５−１およびアーム２５−２に固定されると、透明樹脂板３２の左右方向の中央部分は、前側に突き出すように湾曲させられる。すなわち、透明樹脂板３２は、ヘッドバンド２１から離れる向きに突出するように湾曲させられる。
【００６８】
透明樹脂板３１は、一部が透明樹脂板３２に重なるようにアーム２５−１およびアーム２５−２に止められる。すなわち、透明樹脂板３１の下側は、透明樹脂板３２の上側の前側を囲う。
【００６９】
透明樹脂板３１の右の端部側はアーム２５−１の右側の面に止められ、透明樹脂板３１の左の端部側はアーム２５−２の左側の面に止められる。この場合、ねじ４２−１が、透明樹脂板３１の孔１４２−１に通されて、さらに、アーム２５−１の孔１２５−１−１に螺合されて固定される。また、ねじ４２−２が、透明樹脂板３１の孔１４２−２に通されて、さらに、アーム２５−２の孔１２５−２−１（図示せず）に螺合されて固定される。透明樹脂板３１が、アーム２５−１およびアーム２５−２に固定されると、透明樹脂板３１の左右方向の中央部分は、前側に突き出すように湾曲させられる。すなわち、透明樹脂板３１は、ヘッドバンド２１から離れる向きに突出するように湾曲させられる。
【００７０】
シールド２７の透明樹脂板３１、透明樹脂板３２および透明樹脂板３３は、アーム２５−１およびアーム２５−２の長手方向において互いに重なり合う。より詳細には、シールド２７の互いに重なり合う複数枚の透明の板状の樹脂の部材である透明樹脂板３１、透明樹脂板３２および透明樹脂板３３の隙間は、閉じられているシールド２６と重なる面側において、シールド２６と離れる向き側に開いている。これにより、シールド２６が閉じられている場合、シールド２７の重なりから飛沫が使用者の口元に入ってしまうことが防止できるので、外部の飛沫から保護することができ、また、シールド２６が開かれて、使用者が歌唱する場合、使用者の口から出た飛沫が、シールド２７の重なりから下向きに排出されることになり、使用者１からの飛沫の拡散を抑制することができる。
【００７１】
このように、シールド２７が、アーム２５−１およびアーム２５−２に固定されると、シールド２７の左右方向の中央部分は、前側に突き出すように湾曲させられる。すなわち、シールド２７は、ヘッドバンド２１から離れる向きに突出するように湾曲させられる。シールド２７は、アーム２５−１の一方の端部側とアーム２５−２の一方の端部側との間からアーム２５−１の長手方向の中央の付近の部分とアーム２５−２の長手方向の中央の付近の部分との間までの面を囲う。
【００７２】
仮に、シールドが１枚のみである場合、発声した音声がシールドに直接あたり、シールドに振動が発生し、ビブラート状の異音が発生する。シールドが１枚のみである場合、顔面に対してシールドに角度を付けると、振動は軽減するが、発声した音声が分散して、音声が減衰する。また、この場合、曇りも発生して、楽譜などが見えにくくなる。
【００７３】
これに対して、防護面１１においては、シールド２７が互いに重なり合う複数枚の透明の板状の樹脂の部材からなるので、発声した音声によるシールド２７の振動が抑制されるので、歪のより少ない音声を伝達させることができる。
【００７４】
防護面１１においては、歌唱する場合、例えば、シールド２６の面が顔面に対して約９０度をなすようにシールド２６を開く（上げる）と、シールド２６およびシールド２７が、使用者１の口元のシールド２７の部分がホーンスロートに相当し、開いたシールド２６の前側の端面がホーンマウスに相当するように、一種のホーン状の音道を形成する。これにより、使用者１が発した音声は、シールド２７と口との間の空間からシールド２６の下面にあたり、使用者１の前方に放音される。
【００７５】
シールド２７およびシールド２６が、ホーン状の音道を形成するので、使用者１から発された音声には、指向性が生じ、使用者１の前方に減衰のより少ない音声が伝達されることになる。
【００７６】
シールド２７およびシールド２６が曇りにくいので、多人数の合唱団の場合、使用者１が、明確に相互の顔を確認でき、楽譜が見えにくくなることもない。また、客席からは、使用者１の顔が見える。使用者１が、司会者である場合にも、同様である。
【００７７】
通常の不織布マスクを装着して大きい音量で発生した場合、呼気が左右の両側に抜けることが知られている。これは、口元の前方の呼気の流れが遮断された条件で起きる現象である。これに対して、防護面１１においては、口元の前方において、呼気の流れに抵抗が少ないため、シールド２７に曇りが生じにくい。
【００７８】
発明者が、食用赤色色素の水溶液で洗口し、防護面１１を装着しないで、顔面から５０ｃｍ離れた前面に白紙を貼って、独語の歌曲を約５分間歌唱した場合、白紙に複数の飛沫痕が確認できた。これに対して、発明者が、防護面１１を装着して、同様の条件で歌唱した場合、白紙に飛沫（色素）が付着することはなかった。さらに、発明者以外の複数人について、防護面１１を装着して、水で着色する書道用半紙を使用して確認したが、同様の結果が得られた。このように、大きい飛沫はほぼ遮蔽することができる。
【００７９】
また、細かい呼気は、シールド２７で前面および両側面が囲われているので、後方に抜け、周囲への影響は少ない。
【００８０】
防護面１１は、アルコールスプレーやいわゆる台所洗剤などの界面活性剤などで洗浄したり、次亜塩素酸希釈液に含侵して消毒したりして、反復して使用することができる。
【００８１】
アーム２５−１および２５−２において、孔１２４−１−２および孔１２４−２−２の位置を調整するか、または、さらにネジ孔を設けることができる。このようにすることで、アーム２５−１および２５−２のそれぞれの実質的な長さを調整することができる。
【００８２】
ヘッドバンド２１とアーム２４−１および２４−２との角度、アーム２４−１および２４−２とアーム２５−１および２５−２との角度並びにアーム２５−１および２５−２のそれぞれの実質的な長さを調整することができるので、使用者１が男性、女性または未成年など体格が異なる場合であっても、シールド２６およびシールド２７が使用者１の顔の前に配置されるように調整することができる。また、防護面１１の占める容積がより小さくなるように、ヘッドバンド２１とアーム２４−１および２４−２との角度、アーム２４−１および２４−２とアーム２５−１および２５−２との角度を調整することで、持ち運びの負担をより小さくすることができる。
【００８３】
なお、アーム２３−１および２３−２、アーム２４−１および２４−２、アーム２５−１および２５−２のそれぞれにおいて、断面形状は、シールド２６およびシールド２７を支えることができれば足り、四角断面に限らず、丸断面、楕円断面、Ｈ状断面などいずれの形状でもよい。また、ヘッドバンド２１のＵ字状に湾曲している部分は、複数に分かれていても良い。
【００８４】
また、アーム２３−１および２３−２、アーム２４−１および２４−２、アーム２５−１および２５−２、シールド２６並びにシールド２７は、ねじ止めすると説明したが、これに限らず、固定または回動可能に接続できれば足り、例えば、リベット、ピンまたはグロメット（ハトメ）により止めるようにしてもよいし、所定の部分の接続では溶着や接着を利用することもできる。シールド２６およびシールド２７は、ピンまたはネジとクリップとで止めるようにしてもよい。
【００８５】
なお、ヘッドバンド２１、補強部２２−１および２２−２、アーム２３−１および２３−２、アーム２４−１および２４−２並びにアーム２５−１および２５−２は、一体成型するようにしてもよい。この場合、使用者１の手で湾曲させるなど変形可能な材料を用いることが好ましい。
【００８６】
また、ヘッドバンド２１、補強部２２−１および２２−２、アーム２３−１および２３−２、アーム２４−１および２４−２並びにアーム２５−１および２５−２は、射出成型、切削加工、プレス加工または積層造形法や光造形法などの三次元造形などにより、成形することができる。また、シールド２６およびシールド２７は、抜型による抜き加工、レーザー若しくは高圧の水による抜き加工またはプレス加工による抜き加工により成形することができる。
【００８７】
このように、防護面１１は、ヘッドバンド２１、アーム２４−１および２４−２、アーム２５−１および２５−２、シールド２６並びにシールド２７を含む。ヘッドバンド２１は、外形がＵ字状に形成され、使用者１の頭部に装着された場合、使用者１の頭部の頭頂部、側頭部および耳介部を挟み込む。アーム２４−１は、耳介部からオトガイ部までの距離に相当する長さの棒状に形成されている。アーム２４−１は、ヘッドバンド２１のＵ字状に開いている側の２つの端部とＵ字状の曲がりの頂点部分とで規定される面に交差する向きに突出するように、一方の端部側がヘッドバンド２１のＵ字状の開いている側の一方の端部側に接続されている。
【００８８】
アーム２４−２は、アーム２４−１の長さと同じ長さの棒状に形成されている。アーム２４−２は、ヘッドバンド２１のＵ字状に開いている側の２つの端部とＵ字状の曲がりの頂点部分とで規定される面に対してアーム２４−１が突出する向きと同様の向きに突出するように、一方の端部側がヘッドバンド２１のＵ字状の開いている側の他方の端部側に接続されている。
【００８９】
アーム２５−１は、オトガイ部から側頭部までの距離に相当する長さの棒状に形成されている。アーム２５−１は、ヘッドバンド２１の開いている側の端部側からＵ字状の曲がりの頂点部分側に向かう向きに突出するように、一方の端部側がアーム２４−１の他方の端部側に接続されている。アーム２５−２は、アーム２５−１の長さと同じ長さの棒状に形成されている。アーム２５−２は、アーム２５−１が突出する向きと同様の向きに突出するように、一方の端部側がアーム２４−２の他方の端部側に接続されている。
【００９０】
シールド２７は、アーム２５−１およびアーム２５−２の長手方向において互いに重なり合う複数枚の透明の板状の樹脂の部材からなる。シールド２７は、ヘッドバンド２１から離れる向きに突出するように湾曲させられて、アーム２５−１の一方の端部側とアーム２５−２の一方の端部側との間からアーム２５−１の長手方向の中央の付近の部分とアーム２５−２の長手方向の中央の付近の部分との間までの面を囲う。
【００９１】
シールド２６は、透明の板状の樹脂の部材からなる。シールド２６は、ヘッドバンド２１から離れる向きに突出するように湾曲させられて、アーム２５−１の他方の端部側およびアーム２５−２の他方の端部側に対して開閉自在に軸支される。シールド２６は、閉じられている場合、シールド２７の部分のうちアーム２５−１およびアーム２５−２の長手方向の中央の付近の部分並びにアーム２５−１の他方の端部側とアーム２５−２の他方の端部側との間からアーム２５−１の長手方向の中央部分とアーム２５−２の長手方向の中央部分との間までの面を囲う。
【００９２】
シールド２７が、互いに重なり合う複数枚の透明の板状の樹脂の部材からなり、アーム２５−１の一方の端部側とアーム２５−２の一方の端部側との間からアーム２５−１の長手方向の中央の付近の部分とアーム２５−２の長手方向の中央の付近の部分との間までの面を囲うので、シールド２６が開かれている場合、シールド２７が、歌唱する使用者１の口を囲うことになり、飛沫の拡散を抑制できる。また、シールド２７が、互いに重なり合う複数枚の透明の板状の樹脂の部材からなるので、発声した音声によるシールド２７の振動が抑制されるので、歪のより少ない音声を伝達させることができる。さらに、シールド２６が開かれると、シールド２７およびシールド２６によって、歌唱する使用者１の口から使用者１の前側に、断面が半円状の折れ曲がった連通する空間が形成されるので、歌唱する使用者の音声の指向性を高めることができ、減衰のより少ない音声を伝達させることができる。歌唱しない場合、シールド２６が閉じられると、シールド２６が、シールド２７の部分のうちアーム２５−１およびアーム２５−２の長手方向の中央の付近の部分を囲うので、シールド２７とシールド２６とが概ね一体となって使用者１の前側を覆い、飛沫から保護することができるようになる。このように、歌唱する場合、飛沫の拡散を抑制しつつ、減衰や歪のより少ない音声を伝達させ、歌唱しない場合、飛沫から保護することができる。
【００９３】
アーム２４−１の一方の端部側を、回動自在に軸支し、アーム２４−２の一方の端部側を、回動自在に軸支することができる。アーム２５−１の一方の端部側を、アーム２４−１の他方の端部側に回動自在に軸支し、アーム２５−２の一方の端部側を、アーム２４−２の他方の端部側に回動自在に軸支することができる。これにより、シールド２７およびシールド２６の配置を使用者１の顔の位置に合わせることができる。
【００９４】
ヘッドバンド２１の開いている側の端部に設けられている補強部２２−１および２２−２のそれぞれにおいて、ヘッドバンド２１のＵ字状の湾曲している部分に対して、厚さまたは幅を大きく形成することができる。これにより、防護面１１を使用者１の頭に安定して装着することができる。
【００９５】
アーム２３−１は、ヘッドバンド２１のＵ字状の開いている側の一方の端部側とアーム２４−１との間に設けることができる。アーム２３−１は、棒状とされている。アーム２３−１は、ヘッドバンド２１の端部から面に交差する向きに突出するように延びる。アーム２３−２は、ヘッドバンド２１のＵ字状の開いている側の他方の端部側とアーム２４−２との間に設けることができる。アーム２３−２は、アーム２３−１の長さと同じ長さの棒状とされている。アーム２３−２は、ヘッドバンド２１のＵ字状に開いている側の２つの端部とＵ字状の曲がりの頂点部分とで規定される面に対してアーム２３−１が突出する向きと同じ向きに突出するように延びる。これにより、使用者１の顔に対してシールド２７およびシールド２６をより適切に配置することができる。
【００９６】
シールド２７は、３枚乃至５枚の透明の板状の樹脂の部材からなるようにすることができる。これにより、より幅広い音域で、発声した音声によるシールド２７の振動が抑制されるので、歪のより少ない音声を伝達させることができる。
【００９７】
シールド２７の互いに重なり合う複数枚の透明の板状の樹脂の部材の隙間を、閉じられているシールド２６と重なる面側において、シールド２６と離れる向き側に開かせることができる。これにより、シールド２６が閉じられている場合、シールド２７の重なりから飛沫が使用者１の口元に入ってしまうことが防止できるので、使用者１を外部の飛沫から保護することができ、また、シールド２６が開かれて、使用者１が歌唱する場合、使用者１の口から出た飛沫が、シールド２７の重なりから下向きに排出されることになり、使用者１からの飛沫の拡散を抑制することができる。
【００９８】
アーム２４−１およびアーム２４−２を、一方の端部側におけるアーム２４−１とアーム２４−２と間の距離に対して、他方の端部側におけるアーム２４−１とアーム２４−２と間の距離が短くなるように、設けることができる。これにより、シールド２７によって囲われる使用者１の口元の空間がより小さくなり、外部の飛沫から保護することができ、また、使用者１からの飛沫の拡散を抑制することができる。
【００９９】
防護面１１は、ヘッドバンド２１のＵ字状の開いている端部を結ぶ直線に直交する面に対して対称に形成することができる。これにより、使用者１の顔に対してシールド２７およびシールド２６をより適切に配置することができる。
【０１００】
ヘッドバンド２１、アーム２４−１、アーム２４−２、アーム２５−１、アーム２５−２、シールド２７およびシールド２６は、それぞれ、樹脂で形成することができる。このようにすることで、防護面１１をより軽量に形成することができる。
【０１０１】
シールド２７およびシールド２６は、それぞれ、ポリエチレンテレフタレートで形成することができる。このようにすることで、より容易に、より軽量に防護面１１を形成することができる。
【０１０２】
また、本考案の実施の形態は、上述した実施の形態に限定されるものではなく、本考案の要旨を逸脱しない範囲において種々の変更が可能である。
【符号の説明】
【０１０３】
１１  防護面，  ２１  ヘッドバンド，  ２２−１および２２−２  補強部，  ２３−１および２３−２，２４−１および２４−２並びに２５−１および２５−２  アーム，  ２６および２７  シールド，  ３１，３２および３３  透明樹脂板，  ４１−１および４１−２，４２−１および４２−２，４３−１および４３−２並びに４４−１および４４−２  ねじ，  ５１−１および５１−２，５２−１および５２−２並びに５３−１および５３−２  ねじ，  １２１−１および１２１−２  穴，  １２２−１−１，１２２−１−２，１２２−２−１，１２２−２−２，１２３−１−１，１２３−１−２，１２３−２−１，１２３−２−２，１２４−１−１，１２４−１−２，１２４−２−１，１２４−２−２，１２５−１−１，１２５−１−２，１２５−１−３，１２５−２−１，１２５−２−２および１２５−２−３  孔，  １４１−１，１４１−２，１４２−１，１４２−２，１４３−１，１４３−２，１４４−１および１４４−２  孔
【図１】
0003229470.tif 000003
【図２】
0003229470.tif 000004
【図３】
0003229470.tif 000005
【図４】
0003229470.tif 000006
【図５】
0003229470.tif 000007
【図６】
0003229470.tif 000008
【図７】
0003229470.tif 000009